(57)【特許請求の範囲】
【請求項１】
内容物の収容空間を備える容器本体と、
前記容器本体の口部に装着され、ステムの押込みにより前記容器本体に収容された内容物を前記ステムから吐出するポンプと、
内容物の受面を上面に備え、下面において前記ポンプのステムの先端に装着される受皿と、
前記受皿の下面に該受皿と一体に設けられ、一端が前記ステムに連通するとともに他端が前記受皿の外周縁に開口する供給流路を区画形成するノズル部と、
前記受皿の外周に配置されて前記供給流路に連通するとともに前記受皿の外周に沿う環状流路を区画形成する環状壁部と、前記環状壁部から内向きに突出して前記受面との間に前記受面の中央に向けて開口する吐出口を区画形成する環状鍔部とを備える外周リングと、を有することを特徴とする受皿付きポンプ容器。
【請求項２】
前記外周リングが前記受皿とは別体に形成されて該受皿に組み付けられている、請求項１に記載の受皿付きポンプ容器。
【請求項３】
前記環状鍔部の内側に前記受面を覆うカバーが除去可能に設けられている、請求項１または２に記載の受皿付きポンプ容器。
【請求項４】
前記外周リングが軟材質で形成されている、請求項１〜３の何れか１項に記載の受皿付きポンプ容器。
【請求項５】
前記環状鍔部の前記受面の側を向く下面に、前記環状鍔部の内周縁から前記環状流路の側に向けて延びる溝部が設けられている、請求項４に記載の受皿付きポンプ容器。
【請求項６】
前記容器本体に前記ステムを覆うベースカバーが装着され、前記ベースカバーに設けられたロック部が前記外周リングに設けられたガイド筒に当接して前記ステムの押込みが規制される非駆動位置と、前記ロック部の前記ガイド筒との当接が解除されて前記ステムの押込みが許容される駆動位置との間で前記外周リングが前記ステムを中心として回動可能に設けられるとともに、前記受皿に設けられた係合部が前記ガイド筒に設けられた傾斜溝に係合しており、前記外周リングが前記非駆動位置にあるときには前記環状鍔部の下面が前記受面に当接して前記吐出口が塞がれ、前記外周リングが前記駆動位置にあるときには前記環状鍔部が前記受面から上方に離れて前記吐出口が開かれる、請求項１〜５の何れか１項に記載の受皿付きポンプ容器。
【発明の詳細な説明】
【技術分野】
【０００１】
本発明は、容器本体に収容された内容物をポンプにより受皿の受面に吐出させるようにした受皿付きポンプ容器に関する。
【背景技術】
【０００２】
従来、容器本体に収容された内容物をポンプにより受皿の受面に吐出させるようにした受皿付きポンプ容器としては、例えば特許文献１に示される構成のものが知られている。
【０００３】
ハンドラップ容器とも呼ばれるこのような受皿付きポンプ容器では、受皿はポンプのステムの先端に装着されており、この受皿の上面にコットンやパフ等の塗布用具を載せて塗布用具を指等で押圧することによりポンプを駆動させ、受皿の吐出口から吐出される内容物を塗布用具に浸み込ませて使用するのが一般的である。
【先行技術文献】
【特許文献】
【０００４】
【特許文献１】特開２００２−２５４０００号公報
【発明の概要】
【発明が解決しようとする課題】
【０００５】
しかしながら、上記従来の受皿付きポンプ容器では、内容物を受皿の中央付近から上方や径方向外側に向けて吐出させるようにしているので、ポンプを強く作動させると、内容物が吐出口から勢いよく吐出して受皿の外側に飛散するおそれがあった。
【０００６】
また、上記従来の受皿付きポンプ容器のように受皿を一体品とした場合には、ステムの開口と吐出口とを連ねる流路を複雑な構成とすることは困難である。そのため、ポンプから供給される内容物は流路により減圧されることなく吐出口からそのままの勢いで吐出され、吐出された内容物が塗布用具や邪魔板等に当たって受皿の外側に飛び散ることになる。
【０００７】
本発明は、このような問題を解決することを課題とするものであり、その目的は、内容物を受皿の外側に飛散させることなく確実に受皿の受面に吐出させることができる受皿付きポンプ容器を提案することにある。
【課題を解決するための手段】
【０００８】
本発明の受皿付きポンプ容器は、内容物の収容空間を備える容器本体と、前記容器本体の口部に装着され、ステムの押込みにより前記容器本体に収容された内容物を前記ステムから吐出するポンプと、内容物の受面を上面に備え、下面において前記ポンプのステムの先端に装着される受皿と、前記受皿の下面に該受皿と一体に設けられ、一端が前記ステムに連通するとともに他端が前記受皿の外周縁に開口する供給流路を区画形成するノズル部と、前記受皿の外周に配置されて前記供給流路に連通するとともに前記受皿の外周に沿う環状流路を区画形成する環状壁部と、前記環状壁部から内向きに突出して前記受面との間に前記受面の中央に向けて開口する吐出口を区画形成する環状鍔部とを備える外周リングと、を有することを特徴とする。
【０００９】
本発明の受皿付きポンプ容器は、上記構成において、前記外周リングが前記受皿とは別体に形成されて該受皿に組み付けられているのが好ましい。
【００１０】
本発明の受皿付きポンプ容器は、上記構成において、前記環状鍔部の内側に前記受面を覆うカバーが除去可能に設けられているのが好ましい。
【００１１】
本発明の受皿付きポンプ容器は、上記構成において、前記外周リングが軟材質で形成されているのが好ましい。
【００１２】
本発明の受皿付きポンプ容器は、上記構成において、前記環状鍔部の前記受面の側を向く下面に、前記環状鍔部の内周縁から前記環状流路の側に向けて延びる溝部が設けられているのが好ましい。
【００１３】
本発明の受皿付きポンプ容器は、上記構成において、前記容器本体に前記ステムを覆うベースカバーが装着され、前記ベースカバーに設けられたロック部が前記外周リングに設けられたガイド筒に当接して前記ステムの押込みが規制される非駆動位置と、前記ロック部の前記ガイド筒との当接が解除されて前記ステムの押込みが許容される駆動位置との間で前記外周リングが前記ステムを中心として回動可能に設けられるとともに、前記受皿に設けられた係合部が前記ガイド筒に設けられた傾斜溝に係合しており、前記外周リングが前記非駆動位置にあるときには前記環状鍔部の下面が前記受面に当接して前記吐出口が塞がれ、前記外周リングが前記駆動位置にあるときには前記環状鍔部が前記受面から上方に離れて前記吐出口が開かれるのが好ましい。
【発明の効果】
【００１４】
本発明によれば、ポンプのステムから吐出された内容物はノズル部に設けられた供給流路を通って受皿の外周に沿って設けられた環状流路に送られ、そこで流れ方向が転換されて吐出の勢いが低減されるとともに、吐出口から受皿の中央部に向けて内向きに吐出されるので、内容物を受皿の外側に飛散させることなく確実に受皿の受面に吐出させることができる。
【図面の簡単な説明】
【００１５】
【図１】本発明の一実施の形態に係る受皿付きポンプ容器の側面視での半断面図である。
【図２】（ａ）は図１に示す受皿付きポンプ容器のカバーが取り除かれた状態の要部を拡大して示す拡大半断面図であり、（ｂ）は受皿と外周リングとをヒンジで接続した変形例を示す拡大断面図である。
【図３】切り欠き部の詳細を示す斜視図である。
【図４】受皿への内容物の注出状態を示す説明図である。
【図５】図１に示す受皿付きポンプ容器の平面図である。
【図６】図１に示す受皿付きポンプ容器の変形例であって、外周リングを軟材質で形成した場合を示す拡大半断面図である。
【図７】図６に示す受皿付きポンプ容器の平面図である。
【図８】図１に示す受皿付きポンプ容器の変形例であって、ポンプ開閉機構を設けた場合を示す拡大半断面図である。
【図９】図８に示す受皿付きポンプ容器の平面図である。
【図１０】図８の矢視Ａを示す図である。
【図１１】図８に示す受皿付きポンプ容器の外周リングが駆動位置とされた状態の半断面図である。
【発明を実施するための形態】
【００１６】
以下、図面を参照して、本発明をより具体的に例示説明する。
【００１７】
図１に示すように、本発明の一実施の形態である受皿付きポンプ容器１は、容器本体１０、ポンプ２０、ベースカバー３０、受皿４０および外周リング５０を備えている。
【００１８】
例えば樹脂製とされる容器本体１０は、中央部が上方に向けて突出するように湾曲する円板状の底部１１と、底部１１の縁部に一体に連結する円筒状の胴部１２と、胴部１２から上方に向けて縮径する肩部１３と、肩部１３に一体に連結する円筒状の口部１４とを有する壜形状に形成され、その内部は内容物の収容空間Ｓとなっている。口部１４の外周面には雄ねじ１５が設けられ、雄ねじ１５の下方には、縦リブ１６が設けられている。
【００１９】
ポンプ２０は円筒状のシリンダー２１を備えており、このシリンダー２１の下部には底部１１に向けて延びる吸引パイプ２２が取り付けられている。
【００２０】
シリンダー２１の内部には、シリンダー２１内への内容物の流入、停止を司るポペット弁２３と、ポペット弁２３の径方向外側に配されるコイルばね２４と、コイルばね２４にて上方に付勢されるとともに、内側に内容物の流路を備えるピストン保持具２５と、ピストン保持具２５の上方に設けられ、ピストン保持具２５に連結する管状のステム２６と、シリンダー２１の内周面に液密に当接し、ステム２６の押込みに伴いシリンダー２１内を加圧するピストン２７とが設けられている。シリンダー２１の上部開口には、ステム２６の上方への抜け出しを阻止するストッパー２８が嵌合保持されている。
【００２１】
このような構成のポンプ２０は、ステム２６が容器本体１０の側（図中下方側）に向けて押し込まれることにより、容器本体１０の収容空間Ｓに収容されている内容物を吸引パイプ２２から吸引し、ステム２６の上端から吐出させることができる。
【００２２】
なお、ポンプ２０としては、上記構成に限らず、種々の構成のものを用いることができる。
【００２３】
図２（ａ）に示すように、ベースカバー３０は、例えば樹脂製とされ、口部１４とステム２６を外周側から覆う円筒状の外筒３１を備えている。外筒３１の内面には径方向内側に向けて延在するリング状の連結壁３２が設けられ、この連結壁３２の径方向内側には有蓋筒状の保持部３３が設けられている。保持部３３の内面には雌ねじ３４が設けられ、この雌ねじ３４が雄ねじ１５にねじ込まれてベースカバー３０は口部１４に固定保持されている。シリンダー２１のフランジ２１ａはパッキン２９を介して保持部３３と口部１４との間に挟持され、これによりポンプ２０は口部１４に吊下げ保持されている。
【００２４】
連結壁３２の下面には、ねじ込み終了時に縦リブ１６に係合してベースカバー３０の口部１４に対する緩み方向への回転を防止する緩み止めリブ３５が設けられている。また、保持部３３の上部には、上方に向けて伸延する環状壁３６が設けられている。
【００２５】
環状壁３６には、上方から下方へ向けて環状壁３６を切り欠く切り欠き部３７が設けられている。図３に示すように、切り欠き部３７は上下方向に長く延在する長手切り欠き部３７ａと、長手切り欠き部３７ａに対して周方向に隣接して設けられる短手切り欠き部３７ｂとを備えている。
【００２６】
図２（ａ）に示すように、受皿４０は、例えば樹脂材により、中央部が下方側（容器本体１０の側）に向けて凹む円板状に形成され、その上面（容器本体１０とは反対側を向く面）は内容物の受面４１となっている。この受面４１はすり鉢状である。受皿４０の下面には円筒状の内周壁４２が設けられ、この内周壁４２がステム２６の上端（先端）に外周面側から嵌合することにより、受皿４０はステム２６に装着（固定）されている。したがって、受皿４０を押し下げることにより、ステム２６を容器本体１０の側に向けて押し込むことができる。
【００２７】
内周壁４２の径方向外側には外周壁４３が設けられ、内周壁４２と外周壁４３との間には径方向に沿って延在する板状の連結壁４４が設けられている。連結壁４４は切り欠き部３７の内部に配置され、ベースカバー３０に対して受皿４０が回動すると、長手切り欠き部３７ａと短手切り欠き部３７ｂとの間で周方向に移動するようになっている。また、連結壁４４の下端は、ステム２６が上側のストローク端にまで上昇した位置において、短手切り欠き部３７ｂの底部と略同じ高さにあり、ステム２６が下側のストローク端にまで下降した位置において、長手切り欠き部３７ａの底部よりも高い位置にある。すなわち、連結壁４４が長手切り欠き部３７ａに位置する場合は、ステム２６の下降に合わせて連結壁４４が長手切り欠き部３７ａに沿って下降してポンプ２０の駆動が許容される状態になり、連結壁４４が短手切り欠き部３７ｂ内に位置する場合は、連結壁４４が短手切り欠き部３７ｂの底部に当接してポンプ２０の駆動が不能な状態になる。
【００２８】
受皿４０の下面にはこの受皿４０と一体にノズル部４５が設けられている。ノズル部４５は内周壁４２から受皿４０の外周縁に向けて径方向に沿って延びており、受皿４０の下面との間に、一端がステム２６に連通するとともに他端が受皿４０の外周縁に開口する供給流路４６を区画形成している。この供給流路４６は、ポンプ２０のステム２６から吐出された内容物を受皿４０の外周縁にまで案内することができる。
【００２９】
外周リング５０は受皿４０とは別体に形成され、受皿４０の外周縁に組み付けられている。
【００３０】
より具体的には、図２に示すように、外周リング５０は、例えば樹脂製とされ、受皿４０の外周に配置される円筒状の環状壁部５１と、環状壁部５１の上端から径方向内側へ向けて内向きに突出する環状鍔部５２とを備えている。一方、受皿４０は、その外周縁から下方に向けて垂下する円筒状の装着壁４７を一体に有している。外周リング５０は、環状壁部５１の下端を装着壁４７のフランジ部４７ａに当接させるとともに、装着壁４７の外周面に設けられた凸部４７ｂに環状壁部５１の内周面に設けられた溝部５１ａをアンダーカット係合させることで、受皿４０に組み付けられている。
【００３１】
なお、外周リング５０は、受皿４０と別体に形成される構成に限らず、例えば図２（ｂ）に示すように、ヒンジＨを介して受皿４０に連結された構成とすることもできる。この場合、受皿４０、外周リング５０およびヒンジＨを樹脂材による一体成形品とすることで、これらの部材の製造コストを低減することができる。
【００３２】
図２（ａ）および図４に示すように、外周リングの環状壁部５１は、受皿４０の外周側に当該受皿４０の外周に沿って円環状に延びる環状流路５３を区画形成している。この環状流路５３はノズル部４５により区画形成された供給流路４６に連通している。
【００３３】
また、図２（ａ）に示すように、環状鍔部５２は、環状壁部５１から内向きに突出し、その下面において受面４１に所定の間隔を空けて対向して、受面４１との間に吐出口５４を区画形成している。この吐出口５４は、環状流路５３に連通するとともに受面４１の中央に向けて開口している。
【００３４】
本実施の形態では、外周リング５０を受皿４０とは別体に形成し、受皿４０の外周縁に組み付ける構成としたので、吐出口５４を簡単な構成で確実に受面４１の中央に向けて開口させる構成とすることができる。
【００３５】
図１および図５に示すように、外周リング５０は、環状鍔部５２の内側に受面４１の全面を覆うカバー５５が除去可能に設けられた構成とすることもできる。このカバー５５は、環状鍔部５２の内径よりも僅かに小さい外径を有するとともに受面４１と同様に中央が凹む円板状に形成され、その外周縁は複数の切片５６により環状鍔部５２の内周面に連結されている。カバー５５には摘み部５７が設けられ、この摘み部５７を摘まんでカバー５５を引き上げることにより、切片５６を切断してカバー５５を外周リング５０から除去して受面４１を外部に露出させることができる。このように、受面４１を覆うとともに使用時には除去可能なカバー５５を設けることにより、流通時等における受面４１への埃等の異物の付着を防止することができる。
【００３６】
なお、カバー５５を環状鍔部５２に連結する構成は、切片５６に限らず、薄肉に形成された弱化部により環状鍔部５２の内周面に全周に亘って連結する構成など、外周リング５０から除去可能な構成であれば他の構成とすることもできる。
【００３７】
このような構成の受皿付きポンプ容器１から内容物を吐出させるには、まず、カバー５５を外周リング５０から除去し、次いで、受皿４０を回転させて連結壁４４が短手切り欠き部３７ｂに位置する状態（ポンプ２０の駆動が不能である状態）から、連結壁４４が長手切り欠き部３７ａに位置する状態（ポンプ２０の駆動が許容される状態）に切り替える。
【００３８】
そして、コットンやパフ等の塗布用具を受皿４０の受面４１に載せて、塗布用具を指で押さえるようにして受皿４０を下方に向けて押圧する。受皿４０が押圧されると、ステム２６が下降してポンプ２０が駆動され、内容物がステム２６から吐出される。ステム２６から吐出された内容物は、図４に示すように、供給流路４６を通して環状流路５３に供給されるとともに環状流路５３の全周に行き渡り、環状の吐出口５４の全周から受面４１の中央に向けて吐出される。
【００３９】
このように、本発明の受皿付きポンプ容器１では、ステム２６から吐出された内容物は、供給流路４６を通して受皿４０の外周縁にまで送られ、そこから環状流路５３に供給されるとともに流れ方向が受面４１の中央に向けた方向に反転されるので、その流れの勢いが弱められた状態で吐出口５４から吐出されることになる。また、吐出口５４は受面４１の外周側から中央に向けて開口しているので、内容物は吐出口５４から受面４１の中央に向けて吐出される。したがって、たとえポンプ２０が強く作動されても、内容物は吐出口５４から受面４１の中央に向けて緩やかに吐出されることになるので、吐出された内容物を受皿４０の外側に飛散させることなく確実に受面４１に吐出させることができる。
【００４０】
図６は図１に示す受皿付きポンプ容器１の変形例であって、外周リング５０を軟材質で形成した場合を示す拡大半断面図であり、図７は図６に示す受皿付きポンプ容器１の平面図である。なお、図６、図７においては前述した部材には同一の符号を付し、再度の説明は省略する。
【００４１】
図１に示す場合では、外周リング５０は硬質の樹脂材で形成するようにしているが、外周リング５０は可撓性を有する軟材質で形成されたものとすることもできる。このような軟材質としては、例えば合成ゴムやエラストマー等の弾性体を採用することができる。
【００４２】
図６、図７に示すように、外周リング５０を軟材質で形成した場合には、外周リング５０を硬質の樹脂材で形成した場合に比べて、環状鍔部５２の下面と受皿４０の受面４１との間の隙間を小さくすることができる。当該隙間を小さくしても、内容物を吐出する際には、当該吐出圧により環状鍔部５２が受面４１から離れる方向に変形して吐出口５４から所望の量の内容物を吐出させることができる。
【００４３】
また、外周リング５０を軟材質で形成した場合には、この外周リング５０を、環状鍔部５２の受面４１の側を向く下面に、環状鍔部５２の内周縁から環状流路５３の側に向けて径方向に沿って延びる溝部５８を備えた構成とすることもできる。図６、図７には、複数の溝部５８を周方向に等間隔に並べて設けた場合を示す。このような溝部５８を設けることにより、環状鍔部５２の僅かな変形によって、吐出口５４の開度を所望の量の内容物を吐出可能な程度に確保することができるので、より小さな押込み力でポンプ２０を作動させることができるので、この受皿付きポンプ容器１の操作性を高めることができる。なお、便宜上、図６、図７においては１つの溝部５８にのみ符号を付してある。
【００４４】
また、外周リング５０を軟材質で形成した場合には、環状鍔部５２の下面を受皿４０の受面４１に当接させた構成とすることもできる。この場合においても、環状鍔部５２の受面４１の側を向く下面に溝部５８を設けた構成とすることにより、ポンプ２０を駆動して内容物を吐出する際に、当該吐出圧により環状鍔部５２を受面４１から離れる方向に変形させて吐出口５４から所望の量の内容物を吐出させることができる。また、環状鍔部５２の下面を受皿４０の受面４１に当接させた構成では、内容物の吐出後に、吐出口５４は閉じられた状態となるので、例えば受皿付きポンプ容器１が転倒するなどしても、環状流路５３の内部に残った内容物が吐出口５４から外部に漏れ出すことを防止することができる。
【００４５】
また、外周リング５０を軟材質で形成し、環状鍔部５２の下面と受皿４０の受面４１との間の隙間を小さくすることにより、埃等の異物が吐出口５４に侵入することを防止することができる。
【００４６】
図８は図１に示す受皿付きポンプ容器の変形例であって、ポンプ開閉機構を設けた場合を示す拡大半断面図であり、図９は図８に示す受皿付きポンプ容器の平面図である。また、図１０は図８の矢視Ａを示す図であり、図１１は図８に示す受皿付きポンプ容器の外周リングが駆動位置とされた状態の半断面図である。
【００４７】
図１に示す場合では、ポンプ２０の駆動、駆動不能を切り替える構成をベースカバー３０の環状壁３６に設けた切り欠き部３７と受皿４０の内周壁４２に設けた連結壁４４とで構成するようにしているが、図８に示す場合では、ポンプ２０の駆動、駆動不能を切り替える構成を、外周リング５０とベースカバー３０の外筒３１とに設けるようにしている。
【００４８】
この変形例においては、外周リング５０はステム２６の軸心を中心としてステム２６の押込みを規制する非駆動位置と、ステムの押込みを許容する駆動位置との間で回動自在に設けられる。図９に示すように、外周リング５０の環状壁部５１の外周面には、回転操作時における滑りを防止するための滑り止めリブＲが周方向に等間隔に並べて設けられている。なお、便宜上、図８、図９においては１つのリブＲにのみ符号を付してある。
【００４９】
また、この変形例においては、環状壁３６に設けられる切り欠き部３７は軸方向に沿って延びる回り止め切り欠き部３７ｃのみを有し、受皿４０は、連結壁４４が回り止め切り欠き部３７ｃに係合することによりベースカバー３０や外周リング５０に対して回り止めされている。
【００５０】
外周リング５０の環状壁部５１の下方には円筒状のガイド筒５９が一体に設けられ、図１０に示すように、このガイド筒５９には長手切り欠き部６０ａと短手切り欠き部６０ｂとを備えた切り欠き部６０が設けられている。
【００５１】
一方、ベースカバー３０の連結壁３２には板状のロック部３８が一体に設けられている。このロック部３８は切り欠き部６０の内部に配置され、ベースカバー３０に対して外周リング５０が回動すると、長手切り欠き部６０ａと短手切り欠き部６０ｂとの間で周方向に移動するようになっている。そして、外周リング５０が非駆動位置にあるときには、ロック部３８が短手切り欠き部６０ｂ内に位置してガイド筒５９に当接することにより、ステム２６の押込みが規制された状態つまりポンプ２０の駆動が不能な状態とされる。これに対して、外周リング５０が駆動位置にあるときには、ロック部３８が長手切り欠き部６０ａに位置し、ステム２６が押し込まれたときにロック部３８が長手切り欠き部６０ａに沿って移動可能となってロック部３８のガイド筒５９への当接が解除され、ポンプ２０の駆動が許容される。
【００５２】
なお、上記したロック部３８と切り欠き部６０の構成は、例えば図９に示すように、周方向に９０度ずつ間隔を空けて４か所に設けるなど、複数組みを設けることができる。
【００５３】
また、図８、図１０に示すように、ガイド筒５９には、上下方向に傾斜するとともに周方向に沿って延びる傾斜溝６１が設けられている。一方、受皿４０の装着壁４７にはスリットにより３方が切り欠かれて径方向に弾性変形自在の係合片６２が設けられ、この係合片６２の外周面には係合部６３が一体に設けられている。係合部６３は傾斜溝６１に対応した傾斜角度で上下方向に傾斜するとともに周方向に沿って延びるリブ状に形成され、傾斜溝６１に係合して傾斜溝６１に沿って移動可能となっている。
【００５４】
外周リング５０が非駆動位置にあるときには係合部６３は傾斜溝６１の上方側のストローク端（図１０に示す位置）に位置し、外周リング５０が駆動位置にあるときには係合部６３は傾斜溝６１の下方側のストローク端に位置する。そして、外周リング５０が非駆動位置にあるときには、図８に示すように、環状鍔部５２の下面が受面４１に当接して吐出口５４が閉塞され、外周リング５０を駆動位置にまで回動させると、図１１に示すように、ガイド筒５９がベースカバー３０に対して上方に押し上げられ、これにより環状鍔部５２の下面が受面４１から上方に離れて吐出口５４が所定の開度で開かれる。
【００５５】
このような構成により、外周リング５０を非駆動位置としてポンプ２０の誤作動を防止しつつ吐出口５４からの埃等の異物の侵入を防止することができるとともに、外周リング５０を非駆動位置から駆動位置まで回動させるだけの簡単な操作で、ポンプ２０を駆動可能な状態としつつ吐出口５４を開いて、この受皿付きポンプ容器１を内容物の吐出を可能な状態に切り替えることができる。
【００５６】
本発明は前記実施の形態に限定されるものではなく、その要旨を逸脱しない範囲で種々変更可能であることはいうまでもない。
【００５７】
例えば、前記実施の形態においては、受皿４０の下面に１つのノズル部４５のみが設けられているが、これに限らず、複数のノズル部４５を周方向に間隔を空けて設ける構成とすることもできる。
【符号の説明】
【００５８】
１    受皿付きポンプ容器
１０    容器本体
１１    底部
１２    胴部
１３    肩部
１４    口部
１５    雄ねじ
１６    縦リブ
２０    ポンプ
２１    シリンダー
２１ａ  フランジ
２２    吸引パイプ
２３    ポペット弁
２４    コイルばね
２５    ピストン保持具
２６    ステム
２７    ピストン
２８    ストッパー
２９    パッキン
３０    ベースカバー
３１    外筒
３２    連結壁
３３    保持部
３４    雌ねじ
３５    緩み止めリブ
３６    環状壁
３７    切り欠き部
３７ａ  長手切り欠き部
３７ｂ  短手切り欠き部
３７ｃ  回り止め切り欠き部
３８    ロック部
４０    受皿
４１    受面
４２    内周壁
４３    外周壁
４４    連結壁
４５    ノズル部
４６    供給流路
４７    装着壁
４７ａ  フランジ部
４７ｂ  凸部
５０    外周リング
５１    環状壁部
５１ａ  溝部
５２    環状鍔部
５３    環状流路
５４    吐出口
５５    カバー
５６    切片
５７    摘み部
５８    溝部
５９    ガイド筒
６０    切り欠き部
６０ａ  長手切り欠き部
６０ｂ  短手切り欠き部
６１    傾斜溝
６２    係合片
６３    係合部
Ｓ    収容空間
Ｈ    ヒンジ
Ｒ    リブ
【図１】
0006290060.tif 000002
【図２】
0006290060.tif 000003
【図３】
0006290060.tif 000004
【図４】
0006290060.tif 000005
【図５】
0006290060.tif 000006
【図６】
0006290060.tif 000007
【図７】
0006290060.tif 000008
【図８】
0006290060.tif 000009
【図９】
0006290060.tif 000010
【図１０】
0006290060.tif 000011
【図１１】
0006290060.tif 000012